(57)【特許請求の範囲】
【請求項１】
広幅で長さ方向に平行に切断した断面がコ字型であり、適所に貫通穴があらかじめ設けられた金属製フレームと、内周面に雌ネジが刻設され、かつ、外周面に雄ネジが刻設されたエルボ型継手、および前記エルボ型継手の一端外周面の雄ネジに螺合させたフランジにより構成される住戸内給水管取付け用部材において、前記金属製フレームの貫通穴に前記エルボ型継手の一端が挿入されてなり、このエルボ型継手の一端の先端が前記金属製フレームから突出されてなり、前記エルボ型継手が前記フランジを介して、前記金属製フレームに固定されてなることを特徴とする、住戸内給水管取付け用部材。
【請求項２】
金属製フレームが、長さ方向に平行に切断した断面がＬ字型を呈するフレームを少なくとも二個組合わせたものである、請求項１に記載の住戸内給水管取付け用部材。
【請求項３】
エルボ型継手の他端は、外周面に凹凸部が刻設されたインナーコアー部が形成されてなり、上記インナーコアー部には可撓性樹脂管を外嵌させ、上記可撓性樹脂管の外側から押さえリングなどによって押さえて接続可能とされてなる、請求項１または請求項２に記載の住戸内給水管取付け用部材。
【請求項４】
あらかじめ住戸内給水管取付け用貫通穴が穿設された床板面に住戸内給水管取付け用部材を取付け施工するにあたり、広幅で長さ方向に平行して切断した断面がコ字型を呈する金属製フレームの適所にあらかじめ設けられた貫通穴に、内周面に雌ネジが刻設され、かつ、外周面に雄ネジが刻設されてなるエルボ型継手の一端を挿入して先端を突出し、エルボ型継手の一端外周面の雌ネジに螺合させたフランジを前記金属製フレームに固定し、床板面の表面側に突出したエルボ型継手の一端の雌ネジに住戸内給水管の雄ネジを螺合させて住戸内給水管を取付けることを特徴とする、住戸内給水管取付け用部材の取付け施工方法。
【請求項５】
エルボ型継手の他端の外周面に凹凸部が刻設されたインナーコアー部に可撓性樹脂管を外嵌させ、上記可撓性樹脂管の外側から押さえリングなどによって押さえて接続させる、請求項４に記載の住戸内給水管取付け用部材の取付け施工方法。
【発明の詳細な説明】
【０００１】
【発明の属する技術分野】
本発明は、住戸内給水管取付け用部材およびその取付け施工方法に関する。さらに詳しくは、住戸内給水管を床面に簡単に取付けることができる住戸内給水管取付け用部材、および、この住戸内給水管取付け用部材の取付け施工方法に関する。
【０００２】
【従来の技術】
従来、一般の木造家屋や集合住宅において、洗濯機、洗面所、台所などの用水を使用する場所に上水、床板面の下に配管することがあるが、床板面に貫通穴を穿設しこの穴に導管を通し、床板面の穴と導管との間をゴム製のパッキングやコーキング材で塞いでいた。この従来方式によると、導管を通した穴の近傍に荷重がかかると床板面が湾曲したり、場合によっては導管が破損したり、固定位置から外れたりするという欠点があった。
【０００３】
上記欠点を排除する目的で、床板面にあらかじめ貫通穴を穿設し、この貫通穴にエルボ型継手を固定して、床板面には金属製導管を、床板面の下には可撓性樹脂管を接続する方式が提案され、採用されているが、エルボ型継手を固定する位置に位置合せして固定する作業は、繁雑で高度の熟練が要求された。また、導管の近傍に荷重がかかると床板面が湾曲するという欠点は依然として解消されていない。
【０００４】
【発明が解決しようとした課題】
本発明者らは、かかる状況に鑑み、熟練を要さず簡単に施工できる住戸内給水管取付け用部材、およびこの部材の取付け施工方法を提供することを目的として鋭意検討の結果、完成したものである。本発明は、次のことを目的とする。
１．床板面を貫通して設けられる住戸内給水管を、熟練を要さず簡単に取付けることができる住戸内給水管取付け用部材を提供すること。
２．上記取付けた部材を使用して、床板面を貫通して設けられる住戸内給水管を、強固かつ確実に床板面に取付け施工する方法を提供すること。
【０００５】
【課題を解決するための手段】
上記課題を解決するために、本発明では、広幅で長さ方向に平行に切断した断面がコ字型であり、適所に貫通穴があらかじめ設けられた金属製フレームと、内周面に雌ネジが刻設され、かつ、外周面に雄ネジが刻設されたエルボ型継手、および前記エルボ型継手の一端外周面の雄ネジに螺合させたフランジにより構成される住戸内給水管取付け用部材において、前記金属製フレームの貫通穴に前記エルボ型継手の一端が挿入されてなり、このエルボ型継手の一端の先端が前記金属製フレームから突出されてなり、前記エルボ型継手が前記フランジを介して、前記金属製フレームに固定されてなることを特徴とする、住戸内給水管取付け用部材を提供するものである。
【０００６】
本発明ではさらに、あらかじめ住戸内給水管取付け用貫通穴が穿設された床板面に住戸内給水管取付け用部材を取付け施工するにあたり、広幅で長さ方向に平行に切断した断面がコ字型を呈する金属製フレームの適所にあらかじめ貫通穴を設け、この貫通穴に、内周面に雌ネジが刻設され、かつ、外周面に雄ネジが刻設されてなるエルボ型継手の一端を挿入して先端を突出し、エルボ型継手の一端外周面の雄ネジに螺合させたフランジを金属製フレームに固定し、床板面の表面側に突出したエルボ型継手の一端の雌ネジに住戸内給水管の雄ネジを螺合させて住戸内給水管を取付けることを特徴とする、住戸内給水管取付け用部材の取付け施工方法を提供する。
【０００７】
【発明の実施の形態】
以下、本発明を詳細に説明する。
本発明においてエルボ型継手とは、９０度ベンドのエルボが一般的であるが、このタイプのものに限定されるものではない。エルボ型継手の材質は、金属が一般である。エルボ型継手の一端は、内周面に雌ネジが刻設され、かつ、外周面に雄ネジが刻設されてなることが必要である。この一端の内周面の雌ネジには水栓の雄ネジを螺合させ、外周面の雄ネジにはフランジを螺合させる。フランジは、エルボ型継手の一端の適所で金属製フレームに固定する。エルボ型継手の一端にはさらにパッキング、ワッシャーなどを介して固定リングを螺合させる。床面に施工する際には、パッキング、ワッシャー、固定リングなどを一端から外した上で、床板面にあらかじめ穿設された貫通穴に挿入し、再度パッキング、ワッシャー、固定リングなどを螺合させる。
【０００８】
エルボ型継手の他端は、外周面に凹凸部が刻設されたインナーコアー部が形成されてなり、このインナーコアー部には可撓性樹脂管を外嵌し、この可撓性樹脂管の外側から押さえリングなどによってインナーコアー部に押圧して接続固定するようにされてなる。可撓性樹脂としては、架橋ポリエチレン、ポリブテンなどが挙げられる。
【０００９】
上記エルボ型継手は、広幅で長さ方向に平行に切断した断面がコ字型を呈する金属製フレームの適所にあらかじめ設けられた貫通穴に一端を挿入して固定される。金属製フレームは、これにエルボ型継手を固定して住戸内給水管取付け用部材とするものであり、金属製フレームが給水管の荷重を受けて床板面を補強するので、床板面を別の補強部材で補強する必要がない。金属製フレームは、長さ方向に平行に切断した断面がコ字型を呈するものであり、一個の部品よりなるものでのよいが、長さ方向に平行に切断した断面がＬ字型を呈するフレームを少なくとも二個組合せたものが好ましい。二個のＬ字型フレームの足部（長片）の一方に通常のボルト穴を、他方の長片にスライド穴をそれぞれ穿設して、基礎面（例えば、スラブ面など）と床板面との間隔の大小に応じて、Ｌ字型フレームの足の長さを調節できるようにしたものが、より好まし。
【００１０】
金属製フレームの適所にあらかじめ貫通穴を設けるが、ここで適所とは、コ字型の一方の端部を言う。Ｌ字型フレームを二個組合せたものである場合は、一方のＬ字型フレームの頭部（短片）を言う。この適所には貫通穴が設けられ、この穴にエルボ型継手の上記した一端を挿入、突出させた状態で金属製フレームに固定して、住戸内給水管取付け用部材を構成する。
【００１１】
金属製フレームにエルボ型継手を固定するには、金属製フレームにあらかじめ設けられた貫通穴にエルボ型継手の一端を挿入、突出させた状態で金属製フレームに固定する。フランジはエルボ型継手の位置を雄ネジ上で移動させることにより、突出させたる突出部の長さを調節することができる。突出部の長さを調節することによって、施工する際の床板面の厚さが変っても容易に対応することができる。フランジをエルボ型継手の一端外側に刻設した雄ネジ上の適所で固定するには、ビスを雄ネジ側に突き当てて止める方法が好ましいが、溶接によって固定することもできる。
【００１２】
住戸内給水管取付け用部材を床板面に取付け施工するには、次の手順による。まず、住戸内給水管取付け用部材を構成するエルボ型継手のインナーコアー部の外周面に可撓性樹脂管を外嵌し、押さえリングなどで固定する。次に、金属製フレームの貫通穴から突出している突出部を、床板面の住戸内給水管を取付ける位置にあらかじめ穿設した貫通穴に床板面の下側面から挿入し、床板面から突出た突出し部にパッキングおよび／またはワッシャーなどを介在させ、床板面の表面側から固定リングを螺合させて締付ける。固定リングが床板面の表面側から、住戸内給水管取付け用部材の金属製フレームが床板面の裏面側から、床板面を挟むので強固かつ確実に固定することができる。突出部にパッキングおよび／またはワッシャーなどを介在させると、住戸内給水管の取付け部に水がかっても床板面の下面側に漏洩するのを防ぐことができ、好ましい。
【００１３】
次に、床板面の表面側の突出したエルボ型継手の突出し部の内周面に刻設された雌ネジに、住戸内給水管の雄ネジを螺合させる。これにより床板面の所定の位置に、住戸内給水管を取付けることができ施工が完了する。床板面の表面側から固定リングをカバーで覆うと、美観を向上させることができる。
【００１４】
エルボ型継手のインナーコアー部に接続固定する可撓性樹脂管は、表面に傷がついたり、誤って釘打ちしたりしないようにする目的で、あらかじめさや管に挿通しておくのが好ましい。さや管は、樹脂製の蛇腹管構造のものが好適である。さらにウォターハンマー音を消音する目的で、可撓性樹脂管の中に発泡樹脂シートをさや管内部に介在させることもできる。
【００１５】
【実施例】
以下、本発明に係る住戸内給水管取付け用部材を、図面に基づいて詳細に説明するが、本発明はその趣旨を越えない限り、以下の記載例に限定されるものではない。
【００１６】
図１は本発明に係る住戸内給水管取付け用部材を、床板面に取付け施工した状態を示す一部切欠き側面図である。金属フレーム１は、断面がＬ字型を呈する金属フレーム１ａ、１ｂの長片（足部）部分を重ねてボルト１ｃとナット１ｄによって固定されている。金属フレーム１の短片（頭部）の適所に貫通穴を設け、この貫通穴にエルボ型継手２の一端を突出した状態で固定されている。
【００１７】
２はエルボ型継手であり、２ａはインナーコアー部、２ｂは金属フレームからの突出部、２ｃは突出部の内周面に刻設された雌ネジ、２ｄは突出し部の外周面に刻設された雄ネジ、２ｅはパッキング、２ｆは固定リングである。２ｇはエルボ型継手のフランジであり、エルボ型継手２の一端を外周面に刻設された雄ネジ２ｄに螺合するフランジの小径部２ｊと、金属フレーム１の面と接触させる大径部２ｋとを有する構造とする。フランジ２ｇは雄ネジ２ｄ上で移動させ適所で、ビス２ｈによってエルボ型継手２に固定し、フランジの大径部２ｋは金属フレーム１にビス２ｉによって固定する。ビス２ｉは、フランジの大径部２ｋを貫通して反対側に達していてもよい。金属フレーム１を床板面に固定するには、ビス２ｉの他に図示されていない別の場所でビス止めすることもできる。
【００１８】
本発明に係る住戸内給水管取付け用部材を、床板面に取付け施工するには、まずエルボ型継手２のインナーコアー部２ａに可撓性樹脂管３を外嵌させて、外側から押さえリング４で固定する。次に、住戸内給水管取付け用部材の突出部２ｂから固定リング２ｆ、パッキング２ｅを外し、床板面の適所に穿設された貫通穴にエルボ型継手２の突出部２ｄを床板面５の裏面側から表面側に突出す。
【００１９】
続いて、突出部２ｄにパッキング２ｅと固定リング２ｆを被せ、突出部２ｄの雄ネジに固定リング２ｆの雌ネジを螺合させて締付けると、パッキング２ｅと固定リング２ｆが床板面５の表面側に当接し、水栓取付け用部材の金属フレーム１が床板面５の裏面側に当接して、床板面５に設けられた貫通穴に挿入されたエルボ型継手２の突出部２ｂを連結体として強固かつ確実に固定される。
【００２０】
【発明の効果】
本発明は以上説明した通りであり、次の様な極めて有利な効果を奏し、その産業上の利用価値は極めて大である。
１．本発明に係る住戸内給水管取付け用部材は、予め金属フレームにエルボ型継手が取付けられており、あらかじめ所定の位置に穿設された床板面の穴にエルボ型継手の一端を挿入して固定すればよいので、床板面に簡単に取付けることができる。
２．本発明に係る住戸内給水管取付け用部材は、予め金属フレームにエルボ型継手が取付けられており、住戸内給水管を取付ける床板面を補強する機能を発揮するので、床板面を別に補強する必要がない。
３．本発明に係る住戸内給水管取付け用部材を取付け施工する方法では、施工現場の基礎面と床板面との間隔に応じて金属フレームの足部の寸法を変更すればよいので、熟練を要さず床板面の所定位置に簡単に施工することができる。
【図面の簡単な説明】
【図１】  本発明に係る住戸内給水管取付け用部材を、床板面に取付け施工した状態を示す一部切欠き側面図である。
【符号の説明】
１：金属フレーム
１ａ、１ｂ：Ｌ字型を呈する金属フレーム
１ｃ、１ｄ：ボルトとナット
２：エルボ型継手
２ａ：インナーコアー部
２ｂ：金属フレームからの突出部
２ｃ：突出部の内周面に刻設された雌ネジ
２ｄ：突出部の外周面に刻設された雄ネジ
２ｅ：パッキング、
２ｆ：固定リング
２ｇ：エルボ型継手のフランジ
２ｈ、２ｉ：ビス
２ｊ：フランジの小径部
２ｋ：フランジの大径部
５：床板面
６：上下水道管
６ａ：雄ネジ
７：基礎面
【図１】
0003756288.tif 000002